(57)【要約】【課題】貯湯タンク下部への中温水の流入を確実に抑制するとともに中温水を貯湯タンクの断熱効果の向上に利用することによって、エネルギー効率を向上することのできる貯湯式給湯機を提供すること。【解決手段】本発明の貯湯式給湯機は、貯湯タンク２０と、貯湯タンク２０を覆うように設けられた中間温度槽２１と、浴槽内の水を追い焚きするための追い焚き用熱交換器８０と、貯湯タンク２０内の高温水を追い焚き用熱交換器８０に送るとともに、追い焚き用熱交換器８０での熱交換により高温水が温度低下して生成された中温水を中間温度槽２１内に上部から流入させる一次側管路６０と、浴槽内の水を追い焚き用熱交換器８０に循環させる二次側循環管路７０と、一次側管路６０から中間温度槽２１内に中温水が流入した際に中間温度槽２１の下部から流出した水を貯湯タンク２０内へ送る送水管路と、を備える。【選択図】図２
2012117788.tif 000002
【特許請求の範囲】
【請求項１】
貯湯タンクと、
前記貯湯タンクの内部と直接に連通することなく前記貯湯タンクを覆うように設けられ、貯水空間を前記貯湯タンクの少なくとも外周側に形成する中間温度槽と、
浴槽内の水を追い焚きするための追い焚き用熱交換器と、
前記貯湯タンク内の高温水を前記追い焚き用熱交換器に送るとともに、前記追い焚き用熱交換器での熱交換により前記高温水が温度低下して生成された中温水を前記中間温度槽内に上部から流入させる一次側管路と、
前記浴槽内の水を前記追い焚き用熱交換器に循環させる二次側循環管路と、
前記一次側管路から前記中間温度槽内に前記中温水が流入した際に前記中間温度槽の下部から流出した水を前記貯湯タンク内へ送る送水管路と、
を備えることを特徴とする貯湯式給湯機。
【請求項２】
前記貯湯タンクに設けられた複数の水導入口と、
前記送水管路の途中に設けられ、前記中間温度槽の下部から流出した水を前記複数の水導入口の何れに流入させるかを切り替えることができる分岐路と、
前記分岐路の手前に設けられ、前記中間温度槽の下部から流出した水の温度を検出する温度検出手段と、
前記温度検出手段により検出された温度に基づいて、前記分岐路の切り替えを制御する制御部と、
を備えることを特徴とする請求項１記載の貯湯式給湯機。
【請求項３】
前記貯湯タンクの底部が前記中間温度槽の底部に当接していることを特徴とする請求項１または２記載の貯湯式給湯機。
【請求項４】
前記貯湯タンクの外郭の材料を、空気断熱層を有する材料、または、前記中間温度槽の外郭材料よりも熱伝導率の低い材料で構成したことを特徴とする請求項１乃至３の何れか１項記載の貯湯式給湯機。
【請求項５】
前記中間温度槽は、前記貯湯タンクの上部を間隔をあけて覆っており、前記中間温度槽内に前記中温水が貯留されることにより前記貯湯タンクの上部を含む範囲が前記中温水により覆われることを特徴とする請求項１乃至４の何れか１項記載の貯湯式給湯機。
【発明の詳細な説明】
【技術分野】
【０００１】
本発明は、貯湯式給湯機に関する。
【背景技術】
【０００２】
ヒートポンプにより沸き上げた高温水を貯湯タンクに貯え、この貯湯タンクから取り出した高温水と、水源から供給される低温水とを混合して温度調節した湯を風呂、台所などの給湯端末に供給する貯湯式給湯機が広く用いられている。貯湯タンク内には、上層側の高温水と、下層側の低温水とが積層状態となって貯留される。貯湯タンクの沸き上げ運転時には、貯湯タンクの下部から取り出された低温水がヒートポンプへ送られて沸き上げられ、高温水となって貯湯タンクの上部に戻される。
【０００３】
このような貯湯式給湯機において、浴槽内の湯水（浴槽水）を追い焚きするための追い焚き用熱交換器を備えたものがある。追い焚き運転時には、貯湯タンクから取り出した高温水と、浴槽水とをそれぞれ追い焚き用熱交換器に循環させ、高温水から浴槽水へ伝熱させることにより、浴槽水を加熱する。
【０００４】
追い焚き運転時に貯湯タンク内から取り出されて追い焚き用熱交換器に送られた高温水は、浴槽水に熱を与えて温度が低下し、低温水と高温水との中間温度の中温水となる。この中温水は貯湯タンク内に戻されるが、貯湯タンク内の高温水に中温水が混合すると、高温水の温度が低下するという問題がある。
【０００５】
上記の問題を解決する方法として、下記特許文献１には、貯湯タンクの内部を、高温水を貯留する貯湯部と、中温水収容部とに仕切る仕切り部を設け、追い焚き運転により発生した中温水を上記中温水収容部に流入させることで、貯湯部の高温水の温度低下を抑制するというものが提案されている。
【先行技術文献】
【特許文献】
【０００６】
【特許文献１】特開２０１０−４３７５９号公報
【発明の概要】
【発明が解決しようとする課題】
【０００７】
しかしながら、上記公報の貯湯式給湯機では、貯湯部と中温水収容部とが下部で連通している。このため、中温水収容部に中温水が多く流入すると、中温水収容部の下部から中温水が流出し、貯湯部の下部の低温水に混合してしまう。その結果、貯湯部の下部の水温が上昇する。ヒートポンプは、入水温度が高いほど、効率が低下するという特性がある。上述したように、上記公報の貯湯式給湯機では、中温水の流入によって貯湯タンク（貯湯部）の下部の水温が上昇することを完全に抑制することはできない。このため、沸き上げ運転時のヒートポンプの効率が低下し、エネルギー効率の低下を招くという問題がある。
【０００８】
本発明は、上述のような課題を解決するためになされたもので、貯湯タンク下部への中温水の流入を確実に抑制するとともに中温水を貯湯タンクの断熱効果の向上に利用することによって、エネルギー効率を向上することのできる貯湯式給湯機を提供することを目的とする。
【課題を解決するための手段】
【０００９】
本発明に係る貯湯式給湯機は、貯湯タンクと、貯湯タンクの内部と直接に連通することなく貯湯タンクを覆うように設けられ、貯水空間を貯湯タンクの少なくとも外周側に形成する中間温度槽と、浴槽内の水を追い焚きするための追い焚き用熱交換器と、貯湯タンク内の高温水を追い焚き用熱交換器に送るとともに、追い焚き用熱交換器での熱交換により高温水が温度低下して生成された中温水を中間温度槽内に上部から流入させる一次側管路と、浴槽内の水を追い焚き用熱交換器に循環させる二次側循環管路と、一次側管路から中間温度槽内に中温水が流入した際に中間温度槽の下部から流出した水を貯湯タンク内へ送る送水管路と、を備えたものである。
【発明の効果】
【００１０】
本発明によれば、追い焚き運転によって発生した中温水が貯湯タンク内に直接に流入することがない。このため、貯湯タンクの下部に中温水が流入して貯湯タンクの下部水温が上昇することを確実に防止することができる。よって、沸き上げ運転時にヒートポンプへの入水温度が高くなることがないので、ヒートポンプの効率の低下を確実に防止することができる。また、追い焚き運転によって発生する中温水が貯湯タンクを覆う中間温度槽内に貯留されるので、貯湯タンク内の高温水を中間温度槽内の中温水の層が取り囲むように配置される。これにより、貯湯タンクから直接外気へ放熱されるのではなく、貯湯タンクよりも温度の低い中間温度槽から外気へ放熱するため、外気への放熱が抑制される。このため、断熱効果を向上することができ、貯湯タンク内の高温水の温度を高く維持することができる。これらのことから、本発明によれば、貯湯式給湯機のエネルギー効率を向上することが可能となる。
【図面の簡単な説明】
【００１１】
【図１】本発明の貯湯式給湯機の実施の形態１を示す構成図である。
【図２】図１に示す貯湯式給湯機の貯湯タンク付近を拡大した要部拡大図である。
【図３】図１に示す貯湯式給湯機の貯湯タンク付近を拡大した要部拡大図である。
【図４】本発明の実施の形態２における貯湯タンクおよび中間温度槽の構成例を示す図である。
【図５】本発明の実施の形態３における貯湯タンクおよび中間温度槽の構成例を示す図である。
【発明を実施するための形態】
【００１２】
以下、図面を参照して本発明の実施の形態について説明する。なお、各図において共通する要素には、同一の符号を付して、重複する説明を省略する。
【００１３】
実施の形態１．
図１は、本発明の貯湯式給湯機の実施の形態１を示す構成図である。図１に示す貯湯式給湯機１３０は、市水等の低温水を湯に沸き上げる熱源機としてのヒートポンプユニット１０と、沸き上げられた湯（高温水）を貯留する貯湯タンク２０を有するタンクユニット１１０と、制御装置１２０とを備えている。この貯湯式給湯機１３０は、所望箇所に給湯する機能のほか、浴槽１５０内の浴水１５０ａを追い焚きする機能を有している。以下、貯湯式給湯機１３０の各構成要素について説明する。
【００１４】
ヒートポンプユニット１０は、ユニットケース２内に、冷媒を圧縮する圧縮機１と、沸き上げ用熱交換器３と、膨張弁５と、蒸発器７と、これらを環状に接続する冷媒循環配管９とによって構成された冷凍サイクルシステムを有し、熱源機として機能する。上記の冷凍サイクルシステムでは、二酸化炭素等の冷媒が圧縮機１で圧縮されて高温、高圧となった後に沸き上げ用熱交換器３で水に対し放熱し、膨張弁５で減圧され、蒸発器７で外気から吸熱してガス状態となって圧縮機１に吸入される。冷媒として二酸化炭素を用いる場合、高圧側では該二酸化炭素の臨界圧を超える条件下で運転することが好ましい。また、ヒートポンプユニット１０は、沸き上げ用熱交換器３を通って加熱された湯水の温度を検出する温度サーミスタ３６（後述）を備える。
【００１５】
一方、タンクユニット１１０側には、貯湯タンク２０と、中間温度槽２１と、給水管路３０と、貯湯用循環管路４０と、給湯管路５０と、一次側管路６０と、二次側循環管路７０と、追い焚き用熱交換器８０とが設けられている。
【００１６】
貯湯タンク２０は、給水管路３０から供給される低温水を下層側に貯留すると共に、ヒートポンプユニット１０で沸き上げられた高温水を上層側に貯留する積層式の貯湯タンクである。この貯湯タンク２０の下部には、給水管路３０が接続される水導入口２０ａと、貯湯用循環管路４０の往き管４０ａが接続される水導出口２０ｂと、バイパス管４０ｃと接続される水導入口２０ｅとが設けられている。貯湯タンク２０の上部には、第２三方弁３４（分岐路）から分岐して、貯湯用循環管路４０の戻り管４０ｂが接続される温水導入口２０ｃと、給湯管路５０が接続される温水導出口２０ｄとが設けられている。貯湯タンク２０は、常に満水状態に保たれる。貯湯タンク２０の形状は特に限定されないが、略円筒形状とされることが一般的である。
【００１７】
中間温度槽２１は、貯湯タンク２０を覆うように、貯湯タンク２０の外側に設けられている。中間温度槽２１の上部には、戻り管６０ｂが接続される温水導入口２１ａが設けられており、中間温度槽２１の下部には、第１三方弁３３から分岐した第２往き管４０ｄが接続される水導出口２１ｂが設けられている。本実施形態では、貯湯タンク２０の全体を中間温度槽２１が覆っている。貯湯タンク２０は、中間温度槽２１内において図示しない支持部により支持されている。貯湯タンク２０の外表面と中間温度槽２１の内表面との間の空間（貯水空間）には、戻り管６０ｂから供給される、追い焚きに使用した後の中温水を貯留することができる。貯湯タンク２０の外表面と中間温度槽２１の内表面との間の貯水空間は、貯湯タンク２０内と直接には連通しておらず、独立している。本実施形態では、貯湯タンク２０の全体を覆うように貯水空間が形成されている。以下の説明では、貯湯タンク２０の外表面と中間温度槽２１の内表面との間の貯水空間のことを「中間温度槽２１内」と称する。中間温度槽２１内は、初期状態から常に満水状態に保たれる。
【００１８】
貯湯タンク２０の外郭の材料は、断熱性を有する材料であることが好ましい。例えば、貯湯タンク２０の外郭の材料を、空気断熱層を有する材料、または、中間温度槽２１の外郭材料よりも熱伝導率の低い材料で構成することが望ましい。これにより、貯湯タンク２０内の水と中間温度槽２１内の水との間での熱の移動を抑制することができ、貯湯タンク２０の断熱効果をより高めることができる。
【００１９】
給水管路３０は、市水等の低温水を貯湯タンク２０、給湯管路５０、および所定の給湯先に供給する管路であり、第１〜第３給水管部３０ａ〜３０ｃおよび減圧弁（図示せず）を有している。第１給水管部３０ａは水道等の水源（図示せず）と貯湯タンク２０の水導入口２０ａとを繋ぎ、第２給水管部３０ｂは第１給水管部３０ａから分岐して該第１給水管部３０ａと後述の第１混合弁４５ａ，第２混合弁４５ｂとを繋ぎ、第３給水管部３０ｃは第１給水管部３０ａから分岐して該第１給水管部３０ａと所定の給湯先とを繋ぐ。図示の例では、給湯先の例として１つの給湯栓１６０が示されている。減圧弁は、第１給水管部３０ａでの第３給水管部３０ｃの分岐箇所よりも下流側に設けられて、水源水圧を所定値以下となるように減じる。図１においては、第１給水管部３０ａでの低温水の流れ方向を実線の矢印で示している。
【００２０】
貯湯用循環管路４０は、貯湯タンク２０の水導出口２０ｂからヒートポンプユニット１０内の沸き上げ用熱交換器３を経由して貯湯タンク２０の温水導入口２０ｃに達する管路であり、第１三方弁３３と貯湯用送水ポンプ３５とがこの順に設けられた往き管４０ａと、温度サーミスタ３６（温度検出手段）と、第２三方弁３４と、戻り管４０ｂと、バイパス管４０ｃと、第２往き管４０ｄとを有している。往き管４０ａは、水導出口２０ｂと第１三方弁３３とを接続するとともに、第１三方弁３３と沸き上げ用熱交換器３とを接続している。第２往き管４０ｄは、水導出口２１ｂと第１三方弁３３とを接続している。戻り管４０ｂは、沸き上げ用熱交換器３と温水導入口２０ｃとを接続している。バイパス管４０ｃは、第２三方弁３４により戻り管４０ｂから分岐して、水導入口２０ｅに接続されている。
【００２１】
給湯管路５０は、貯湯タンク２０に貯留された高温水と、給水管路３０からの低温水とを第１混合弁４５ａまたは第２混合弁４５ｂで混合し所定温度の温湯とし、その温湯を浴槽１５０や所定の給湯先（図示の例では給湯栓１６０）に供給する管路であり、この第１混合弁４５ａおよび第２混合弁４５ｂの他に第１〜第３給湯管部５０ａ〜５０ｃを有している。第１給湯管部５０ａは貯湯タンク２０の温水導出口２０ｄと第１混合弁４５ａおよび第２混合弁４５ｂとを繋ぎ、第２給湯管部５０ｂは第１混合弁４５ａと二次側循環管路７０の戻り管７０ｂとを繋ぎ、第３給湯管部５０ｃは第２混合弁４５ｂと給湯栓１６０とを繋ぐ。図１においては、給湯栓１６０からの湯水の流出方向を破線の矢印で示している。
【００２２】
一次側管路６０は、貯湯タンク２０の温水導出口２０ｄから追い焚き用熱交換器８０を経由して中間温度槽２１の温水導入口２１ａに達する管路であり、往き管６０ａと、一次側送水ポンプ５５が設けられた戻り管６０ｂとを有している。往き管６０ａは貯湯タンク２０の温水導出口２０ｄと追い焚き用熱交換器８０上部の温水導入口８０ａとを繋ぎ、戻り管６０ｂは追い焚き用熱交換器８０下部の温水導出口８０ｂと温水導入口２１ａとを繋ぐ。図示の例では、第１給湯管部５０ａでの貯湯タンク２０側の所定の区間が、往き管６０ａでの貯湯タンク２０側の区間を兼ねている。
【００２３】
二次側循環管路７０は、浴槽１５０から追い焚き用熱交換器８０を経由して再び浴槽１５０に戻る管路であり、二次側送水ポンプ６５が設けられた往き管７０ａと、戻り管７０ｂとを有している。往き管７０ａは浴槽１５０と追い焚き用熱交換器８０下部の浴水導入口８０ｃとを繋ぎ、戻り管７０ｂは追い焚き用熱交換器８０上部の浴水導出口８０ｄと浴槽１５０とを繋ぐ。
【００２４】
追い焚き用熱交換器８０は、一次側管路６０を流れる高温水と二次側循環管路７０を流れる浴水１５０ａとの間で熱交換を行って浴水１５０ａを加熱するものである。追い焚き用熱交換器８０の上部には上述した温水導入口８０ａおよび浴水導出口８０ｄが設けられ、下部には上述した温水導出口８０ｂおよび浴水導入口８０ｃが設けられている。
【００２５】
タンクユニット１１０を構成する上述の構成部材のうち、給水管路３０、貯湯用循環管路４０、給湯管路５０、および二次側循環管路７０の各々は、その一部がユニットケース１１２の外部にまで延在しており、残りの構成部材は、ユニットケース１１２内に納められている。
【００２６】
制御装置１２０は、上記のユニットケース１１２内に配置された制御装置本体１２０ａと、台所や浴室等に配置されて制御装置本体１２０ａに有線接続または無線接続されたリモートコントローラ１２０ｂとを有している。制御装置本体１２０ａは、ヒートポンプユニット１０、第１三方弁３３、第２三方弁３４、貯湯用送水ポンプ３５、第１混合弁４５ａ、第２混合弁４５ｂ、一次側送水ポンプ５５および二次側送水ポンプ６５に接続され、当該制御装置本体１２０ａの入力装置として機能するリモートコントローラ１２０ｂからユーザが入力した情報や指令等に応じてこれらの動作を制御する。
【００２７】
以上のように構成された貯湯式給湯機１３０は、リモートコントローラ１２０ｂからユーザが入力した上述の情報や指令等に基づいて動作する。例えば、リモートコントローラ１２０ｂからユーザが入力した沸き上げ開始時刻になると、制御装置１２０による制御の下にヒートポンプユニット１０および貯湯用送水ポンプ３５が起動されて沸き上げ運転が開始され、貯湯タンク２０に設けられた温度センサ（図示せず）の検出結果から所定温度の高温水が貯湯タンク２０に所定量貯留されたと判断されるまで継続される。この間、貯湯タンク２０下部の水導出口２０ｂから貯湯用循環管路４０に低温水が流入し、ヒートポンプユニット１０で高温水に沸き上げられて貯湯タンク２０上部の温水導入口２０ｃから貯湯タンク２０に戻される。
【００２８】
また、リモートコントローラ１２０ｂからユーザが湯はり運転の開始指令を入力すると、制御装置１２０による制御の下に第２給湯管部５０ｂに設けられた湯はり電磁弁（図示せず）が開き、第２給湯管部５０ｂに設けられた温度センサ（図示せず）の検出湯温が、あらかじめリモートコントローラ１２０ｂからユーザが設定した湯はり湯温となるように第１混合弁４５ａを制御する。これにより、第１混合弁４５ａで調温された湯が第２給湯管部５０ｂおよび二次側循環管路７０を経由して浴槽１５０に供給される。この湯はり運転は、例えば第２給湯管部５０ｂに配置された流量センサ（図示せず）の検出結果から浴槽１５０内の浴水１５０ａが所定量に達したと判断されると、湯はり電磁弁を閉じ終了する。
【００２９】
また、リモートコントローラ１２０ｂからユーザが追い焚き運転の開始指令を入力すると、制御装置１２０による制御の下に一次側送水ポンプ５５および二次側送水ポンプ６５が起動されて追い焚き運転が開始される。これにより、貯湯タンク２０内の高温水が、温水導出口２０ｄから一次側管路６０を通って、追い焚き用熱交換器８０に送られる。一方、浴槽１５０内の浴水１５０ａは、二次側循環管路７０を通り、追い焚き用熱交換器８０を経由して、浴槽１５０内へ戻る。追い焚き用熱交換器８０では、一次側管路６０の高温水から二次側循環管路７０の浴水１５０ａへ熱が移動することにより、浴水１５０ａの温度が上昇し、高温水は温度が低下して中温水となる。追い焚き用熱交換器８０を出た一次側管路６０の中温水は、温水導入口２１ａから中間温度槽２１内に流入する。この追い焚き運転は、例えば往き管７０ａに配置された温度センサ（図示せず）の検出結果から浴槽１５０内の浴水１５０ａが所定温度にまで加熱されたと判断されるまで継続される。
【００３０】
本実施形態の貯湯式給湯機１３０は、追い焚き運転の動作およびその後の状態に特徴を有している。その特徴について、図２および図３を参照して詳述する。図２および図３は、図１に示す貯湯式給湯機１３０の貯湯タンク２０付近を拡大した要部拡大図である。
【００３１】
図２に示す貯湯タンク２０および中間温度槽２１内の温度分布においては、貯湯タンク２０下部の温度が低温であり、中間温度槽２１の下部も低温となっている。このような図２に示す状態は、給湯や湯はりを行った後の状態、もしくは、沸き上げを満タンまで行わずにその手前で停止した状態を表している。ここで、高温水は例えば９０℃以上、低温水は例えば１０℃、中温水は高温水と低温水の間の温度（例えば５０℃）である。
【００３２】
図２に示す状態から、ユーザが追い焚き運転の操作指令をリモートコントローラ１２０ｂから入力すると、貯湯タンク２０内の高温水が温水導出口２０ｄから出て一次側管路６０を通って追い焚き用熱交換器８０に送られる。この高温水は、追い焚き用熱交換器８０において、二次側循環管路７０を循環する浴水１５０ａと熱交換することによって温度が低下して中温水となり、この中温水が温水導入口２１ａから中間温度槽２１内の上部に流入する。
【００３３】
そうすると、中間温度槽２１内の下部の低温水が水導出口２１ｂから押し出され、貯湯用循環管路４０を通り、この低温水の温度が第２三方弁３４の手前の温度サーミスタ３６によって検出される。制御装置１２０は、温度サーミスタ３６が検出した温度が所定の設定温度（例えば５０℃）未満の場合には第２三方弁３４の流路を水導入口２０ｅ側に切り替え、温度サーミスタ３６が検出した温度が該設定温度以上であれば第２三方弁３４の流路を温水導入口２０ｃ側に切り替える制御を行う。
【００３４】
図２の場合には、温度サーミスタ３６が検出する低温水の温度は上記設定温度未満となるので、制御装置１２０によって第２三方弁３４の流路が水導入口２０ｅ側に切り替えられ、この低温水が水導入口２０ｅから貯湯タンク２０内の下部に流入する。図２においては、中間温度槽２１の水導出口２１ｂから流出して貯湯タンク２０内の下部に流入する低温水の流れ方向を矢印で示している。
【００３５】
以上、図２を参照して説明したように、本実施形態の貯湯式給湯機１３０によれば、追い焚き運転によって発生した中温水が貯湯タンク２０内に直接に流入することがない。このため、貯湯タンク２０の下部に中温水が流入して貯湯タンク２０の下部水温が上昇することを確実に防止することができる。よって、沸き上げ運転時にヒートポンプユニット１０への入水温度が高くなることがないので、ヒートポンプユニット１０の効率の低下を確実に防止することができる。また、追い焚き運転によって発生する中温水が貯湯タンク２０の外層にあたる中間温度槽２１内に貯留されるので、貯湯タンク２０内の高温水を中間温度槽２１内の中温水の層が取り囲むように配置される。これにより、貯湯タンク２０から直接外気へ放熱されるのではなく、貯湯タンク２０よりも温度の低い中間温度槽２１から外気へ放熱するため、外気への放熱が抑制される。このため、断熱効果を向上することができ、貯湯タンク２０内の高温水の温度を高く維持することができる。これらのことから、本実施形態の貯湯式給湯機１３０によれば、エネルギー効率を向上することができる。
【００３６】
図３は、沸き上げを満タンまで行った後の貯湯タンク２０および中間温度槽２１内の温度分布を表している。図３に示す状態では、貯湯タンク２０の下部まで高温水となっている。また、この状態では、貯湯タンク２０内の温度が中間温度槽２１内に伝わり、中間温度槽２１内の下部が中高温水となっている。この中高温水は、追い焚き運転により発生する中温水の温度よりも高温で、高温水と中温水の間の温度（例えば７５℃）である。
【００３７】
図３に示す状態から、ユーザが追い焚き運転の操作指令をリモートコントローラ１２０ｂから入力すると、貯湯タンク２０内の高温水が温水導出口２０ｄから出て一次側管路６０を通って追い焚き用熱交換器８０に送られる。この高温水は、追い焚き用熱交換器８０において、二次側循環管路７０を循環する浴水１５０ａと熱交換することによって温度が低下して中温水となり、この中温水が温水導入口２１ａから中間温度槽２１内の上部に流入する。
【００３８】
そうすると、中間温度槽２１内の下部の中高温水が水導出口２１ｂから押し出され、貯湯用循環管路４０を通り、この中高温水の温度が第２三方弁３４の手前の温度サーミスタ３６によって検出される。図３の場合には、温度サーミスタ３６が検出する中高温水の温度は前述した設定温度以上となるので、制御装置１２０によって第２三方弁３４の流路が温水導入口２０ｃ側に切り替えられ、この中高温水が温水導入口２０ｃから貯湯タンク２０内の上部に流入する。図３においては、中間温度槽２１の水導出口２１ｂから流出して貯湯タンク２０内の上部に流入する中高温水の流れ方向を矢印で示している。
【００３９】
以上、図３を参照して説明したように、本実施形態の貯湯式給湯機１３０によれば、追い焚き運転によって発生した中温水が貯湯タンク２０内に直接に流入することがない。このため、貯湯タンク２０の下部に中温水が流入して貯湯タンク２０の下部水温が上昇することを確実に防止することができる。よって、沸き上げ運転時にヒートポンプユニット１０への入水温度が高くなることがないので、ヒートポンプユニット１０の効率の低下を確実に防止することができる。また、追い焚き運転によって発生する中温水が貯湯タンク２０の外層にあたる中間温度槽２１内に貯留されるので、貯湯タンク２０内の高温水を中間温度槽２１内の中温水の層が取り囲むように配置される。これにより、貯湯タンク２０から直接外気へ放熱されるのではなく、貯湯タンク２０よりも温度の低い中間温度槽２１から外気へ放熱するため、外気への放熱が抑制される。このため、断熱効果を向上することができ、貯湯タンク２０内の高温水の温度を高く維持することができる。更に、図３に示す場合には、追い焚き運転によって発生した中温水が貯湯タンク２０の上部に直接流入する場合と比べ、高い温度の水（中高温水）が貯湯タンク２０の上部に流入することになるので、貯湯タンク２０上部の高温水の温度低下を抑制することができる。これらのことから、本実施形態の貯湯式給湯機１３０によれば、エネルギー効率を向上することができる。
【００４０】
実施の形態２．
次に、図４を参照して、本発明の実施の形態２について説明するが、上述した実施の形態１との相違点を中心に説明し、同一部分または相当部分は同一符号を付し説明を省略する。
【００４１】
図４は、本発明の実施の形態２における貯湯タンク２０および中間温度槽２１の構成例を示す図である。前述した実施の形態１では、貯湯タンク２０の底部の外面と中間温度槽２１の底部の内面とが離れており、貯湯タンク２０の底部の外側にも中間温度槽２１の貯水空間が形成されている。これに対し、図４に示すように、本実施形態では、貯湯タンク２０の底部の外面と中間温度槽２１の底部の内面とが当接して接着されているとともに、貯湯タンク２０の上部の外面と中間温度槽２１の上部の内面とが当接して接着されている。このような構成により、貯湯タンク２０の重量を無理なく容易に支持することができ、より確実に固定することができる。
【００４２】
実施の形態３．
次に、図５を参照して、本発明の実施の形態３について説明するが、上述した実施の形態との相違点を中心に説明し、同一部分または相当部分は同一符号を付し説明を省略する。
【００４３】
図５は、本発明の実施の形態３における貯湯タンク２０および中間温度槽２１の構成例を示す図である。図５に示すように、本実施形態では、前述した実施の形態２と同様に、貯湯タンク２０の底部の外面と中間温度槽２１の底部の内面とが当接して接着されている。このため、前述した実施の形態２と同様に、貯湯タンク２０の重量を無理なく容易に支持することができ、より確実に固定することができる。更に、本実施形態によれば、次のような効果が得られる。
【００４４】
本実施形態では、実施の形態１と同様に、中間温度槽２１が貯湯タンク２０の上部を間隔をあけて覆っており、貯湯タンク２０の上部の外側にも中間温度槽２１の貯水空間が形成されている。このため、貯湯タンク２０の上部を含めた範囲が、中間温度槽２１内の中温水によって覆われる。貯湯タンク２０内の高温水は、貯湯タンク２０の下部から減っていくため、貯湯タンク２０の上部は常に高温に維持され、放熱し易い。本実施形態によれば、放熱し易い貯湯タンク２０の上部を含めた範囲が中温水の層によって覆われることで、実施の形態２と比べ、貯湯タンク２０の断熱効果を更に向上することができる。
【符号の説明】
【００４５】
１        圧縮機
２        ユニットケース
３        沸き上げ用熱交換器
５        膨張弁
７        蒸発器
９        冷媒循環配管
１０      ヒートポンプユニット
２０      貯湯タンク
２０ａ    水導入口
２０ｂ    水導出口
２０ｃ    温水導入口
２０ｄ    温水導出口
２０ｅ    水導入口
２１      中間温度槽
２１ａ    温水導入口
２１ｂ    水導出口
３０      給水管路
３３      第１三方弁
３４      第２三方弁
３５      貯湯用送水ポンプ
３６      温度サーミスタ
４０      貯湯用循環管路
４５ａ    第１混合弁
４５ｂ    第２混合弁
５０      給湯管路
５５      一次側送水ポンプ
６０      一次側管路
６５      二次側送水ポンプ
７０      二次側循環管路
８０      追い焚き用熱交換器
１１０    タンクユニット
１１２    ユニットケース
１２０    制御装置
１２０ａ  制御装置本体
１２０ｂ  リモートコントローラ
１３０    貯湯式給湯機
１５０    浴槽
１５０ａ  浴水
１６０    給湯栓
【図１】
2012117788.tif 000003
【図２】
2012117788.tif 000004
【図３】
2012117788.tif 000005
【図４】
2012117788.tif 000006
【図５】
2012117788.tif 000007